(57)【要約】【課題】銛身の一側部から横方向に突出する複数の銛部が獲物に突き刺さりやすい猟具兼漁具を提供する。【解決手段】猟具兼漁具が柄１と柄１の一端部から柄１の長手方向Ｘに延びる銛身２と銛身２の長手方向Ｘに交差する方向の一側部から横方向Ｙに突出する複数の銛先３と間隔部分４に間隔部分４における銛先３の少なくとも１つから間隔部分４に突出するように設けられた返し５又は抜け防止部１１；１２を備えたので、人が手１７で取手７を握って矢印Ｚの方向に猟具兼漁具を振りかざして使用した際に、複数の銛先が獲物に突き刺さりやすい。【選択図】図１
2020108345.tif 000002
【特許請求の範囲】
【請求項１】
柄とこの柄の一端部から当該柄の長手方向に延びる銛身とこの銛身の一側部から横方向に突出する複数の銛先とを備えたことを特徴とする猟具兼漁具。
【請求項２】
前記複数の銛先による間隔部分には返し又は抜け防止部が当該間隔部分における銛先のうちの少なくとも１つから前記間隔部分の側に突出した形状に設けられたことを特徴とする請求項１記載の猟具兼漁具。
【請求項３】
前記複数の銛先が第１間隔部分と当該第１間隔部分に隣接した第２間隔部分とを形成し、前記第１間隔部分には返しが前記第１間隔部分における銛先のうちの少なくとも１つから前記第１間隔部分の側に突出した形状に設けられ、前記第２間隔部分には抜け防止部が前記第２間隔部分における銛先のうちの少なくとも１つから前記第２間隔部分の側に突出した形状に設けられたことを特徴とする請求項２記載の猟具兼漁具。
【請求項４】
前記複数の銛先が第１間隔部分と当該第１間隔部分に隣接した第２間隔部分とを形成し、前記第１間隔部分には返しが一対の銛先から第１間隔部分の側に突出した形状に設けられ、前記第２間隔部分には返し及び抜け防止部が設けられていないことを特徴とする請求項２記載の猟具兼漁具。
【請求項５】
前記銛先及び返し又は抜け防止部が刃になったことを特徴とする請求項２乃至４記載の特徴とする猟具兼漁具。
【請求項６】
前記第１間隔部分における銛身が刃になっていないことを特徴とする請求項２乃至４記載の猟具兼漁具。
【請求項７】
前記銛身の先端部には保護部が前記複数の銛先よりも横方向に突出して設けられたことを特徴とする請求項２乃至４記載の猟具兼漁具。
【請求項８】
前記銛身の背側には刃が設けられたことを特徴とする請求項２乃至４記載の猟具兼漁具。
【発明の詳細な説明】
【技術分野】
【０００１】
本発明は、柄と柄の一端部から柄の長手方向に延びる銛身と銛身の一側部から横方向に突出する複数の銛先とを備え、水辺から水辺の植物の周囲の水中に振りかざして水棲生物を獲たり、陸上の動物に対して振り下ろして捕獲したりする山刀形状をした道具としての猟具兼漁具に関する。
【背景技術】
【０００２】
特許文献１で開示された柄の軸心方向に突き出して水棲生物を獲る道具は、柄の一端部に３本以上の銛先を備えており、振りかざして使用するに不適切な構造である。又、柄の長手方向に突く形で使用すると、獲物を外した場合、銛先が川底に当たり銛先の鋭さが失われて一度で使用できなくなる。
【先行技術文献】
【特許文献】
【０００３】
【特許文献１】中国実用新案ＣＮ２０１５４１６０５Ｕ号公報
【発明の概要】
【発明が解決しようとする課題】
【０００４】
本発明は、上記背景技術に鑑みてなされたものであり、振りかざして使用される猟具兼漁具であって、銛身の一側部から横方向に突出する複数の銛部が獲物に突き刺さりやすい猟具兼漁具の提供を目的とする。
【課題を解決するための手段】
【０００５】
本発明は、柄とこの柄の一端部から当該柄の長手方向に延びる銛身とこの銛身の一側部から横方向に突出する複数の銛先とを備えたことを特徴とする。
【発明の効果】
【０００６】
本発明は、柄とこの柄の一端部から当該柄の長手方向に延びる銛身とこの銛身の一側部から横方向に突出する複数の銛先とこの複数の銛先を備えたことにより、猟具兼漁具を振りかざした際に、複数の銛先が獲物に突き刺さりやすい効果を奏する。
【図面の簡単な説明】
【０００７】
【図１】発明を実施するための形態１に係る猟具兼漁具を示す正面図。
【図２】図１の要部を示した正面図。
【図３】発明を実施するための形態２に係る猟具兼漁具を示す正面図。
【図４】発明を実施するための形態２に係る猟具兼漁具を示す正面図。
【図５】発明を実施するための形態３に係る猟具兼漁具を示す正面図。
【図６】発明を実施するための形態４に係る猟具兼漁具の要部を示す正面図。
【図７】発明を実施するための形態５に係る猟具兼漁具の要部を示す正面図。
【図８】図（Ａ）は、発明を実施するための形態６に係る猟具兼漁具を示す平面図。図（Ｂ）は、発明を実施するための形態６に係る猟具兼漁具を示す左側面図。図（Ｃ）は、発明を実施するための形態６に係る猟具兼漁具を示す正面図。図（Ｄ）は、発明を実施するための形態６に係る猟具兼漁具を示す右側面図。図（Ｅ）は、発明を実施するための形態６に係る猟具兼漁具を示す底面図。
【発明を実施するための形態】
【０００８】
図１に示した猟具兼漁具は、柄１と銛身２と複数の銛先３とを備える。柄１は、一端部から他端部の方向に長手方向Ｘが存在する板状になっている。銛身２は、柄１の一端部から柄１の長手方向Ｘに延びる板状であって、一端部から他端部の方向に長手方向Ｘが存在する板状になっている。複数の銛先３は、銛身２の長手方向Ｘと交差する方向の一側部から横方向Ｙに突出する板状になっている。各銛先３は、銛身２の長手方向Ｘと平行する一本の仮想線８上に位置している。猟具兼漁具は、人が手１７で取手７を握って矢印Ｚの方向に振り下ろして使用するものであり、従来の柄の長手方向に突く銛よりも扱いが簡単で、銛先も傷めにくい。
【０００９】
銛先３の本数は６本に限定されるものではいが６本を例示し、間隔部分として第１間隔部分４と第２間隔部分６とを例示し、第１間隔部分４と第２間隔部分６とが銛身２の長手方向Ｘに交互に隣接した態様を例示した。
【００１０】
第１間隔部分４には、返し５が設けられていない形状であってもよい。この場合であっても、取手７を人が手１７で握って矢印Ｚの方向に猟具兼漁具を振り下ろす際の遠心力を利用して獲物に複数の銛部３を突き刺すことが可能である。又、返し５が第１間隔部分４における銛先３のうちの少なくとも１つから第１間隔部分４の側に突出した形状に設けられてもよいが、返し５が第１間隔部分４における一対の銛先３から第１間隔部分４の側に突出した形状に設けられた態様を例示したので、返し５が第１間隔部分４における銛先３のうちの少なくとも１つに設けられるより、返し５が第１間隔部分４における一対の銛先３に設けられた方が、獲物が逃げ難くなり、獲物を捕獲しやすい。第２間隔部分６には、返し及び抜け防止部が設けられていない。
【００１１】
以上のように、図１に示した猟具兼漁具は、柄１と柄１の一端部から柄１の長手方向Ｘに延びる銛身２と銛身２の長手方向Ｘに交差する方向の一側部から横方向Ｙに突出する複数の銛先３と第１間隔部分４における銛先３の少なくとも１つから第１間隔部分４に突出するように設けられた返し５とを備えた構造になっているので、猟具兼漁具を鉄板又はステンレス等の金属製の板材からプレス加工で作ることができる。そして、鉄板又はステンレス等の金属製の板材からプレス加工で作った猟具兼漁具の柄１に仮想線で示した取手７を外装して手で握りやすいようにしても良い。尚、猟具兼漁具は、レーザー加工で金属製の板材から切り抜いて作成してもよく、鋳造により作成することも可能であるが、金属製の板材からプレス加工又はレーザー加工で作成するほうが鋳造よりも容易に作成できる。
【００１２】
又、取手７を着脱できるように、柄１に取手７の付構造を設けても良い。柄１に棒を取り付けて槍や大鎌のような猟具兼漁具にしてもよい。
【００１３】
図２に示したように、第１間隔部分４における一対の銛先３及び返し５には刃９が形成されている。つまり、第１間隔部分４における一対の銛先３及び返し５が一対の銛先３及び返し５における板材の板厚が一対の銛先３の側及び返し５の側に行くに従って徐々に薄くなるように研磨されたことで、刃９が第１間隔部分４における一対の銛先３及び返し５に形成されている。言い換えると、第１間隔部分４の一対の銛先３には向かい合うように刃９が設けられている。このように第１間隔部分４における一対の銛先３及び返し５には刃９が形成されたことから、第１間隔部分４における一対の銛先３及び返し５が獲物に突き刺さりやすい効果がある。
【００１４】
又、第２間隔部分６における一対の銛先３には刃が形成されておらず、第２間隔部分６における銛身２及び第１間隔部分４における銛身２にも刃が形成されていない。つまり、第２間隔部分６における一対の銛先３が板厚のままの状態であって刃になっていない。第２間隔部分６における一対の銛先３には向かい合うように刃が設けられていないことから、銛先３に突き刺さった獲物が外れにくく、獲物が暴れても逃げられにくい効果がある。
【００１５】
又、第２間隔部分６における銛身２及び第１間隔部分４における銛身２が板厚のままの状態であって刃になっていない。このように、第２間隔部分６における一対の銛先３と第２間隔部分６における銛身２と第１間隔部分４における銛身２とのそれぞれには刃が形成されていないことから、当該刃の形成されていない部分による獲物の切断を未然に防ぐことができる。
【００１６】
尚、第１間隔部分４における一対の銛先３及び返し５に刃９が形成されていない一方、第２間隔部分６における一対の銛先３に刃９に類似する刃を形成してもよい。かかる場合であっても、段落００１３及び段落００１４と同様の効果を奏する。
【００１７】
尚、第１間隔部分４における一対の銛先３及び返し５に刃９が形成されかつ第２間隔部分６における一対の銛先３に刃９に類似する刃を形成してもよい。かかる場合、獲物に刺さりやすく、銛先３から獲物を外しやすい効果があるが、銛先３に刺さった獲物が暴れた際に銛先３の刃９及び刃９に類似する刃が獲物に刺さった部分を切り開いてしまうため逃げられやすくなる。
【００１８】
図３に示した猟具兼漁具では、最先端の銛先３が一本の仮想線８上に位置する他の銛先３よりも横方向に出っ張っているので、この最先端の銛先３が他の銛先３を岩や地面に当たって破損しないように保護することができ、この最先端の銛先３が岩や地面に当たって鋭利さが劣化した場合は、この最先端の銛先３だけを研磨すれば良い。尚、銛身２の背側には刃１３が設けられなくてもよいが、刃１３が設けられた場合を図３に例示した。銛身２の先端部１４には銛先側保護部１５と背側保護部１６が設けられる。銛先側保護部１５は、猟具兼漁具の銛先３の側を振り下ろした際に地面にぶつかっても、衝撃をいなすように銛先３から猟具兼漁具の先端に向けて傾斜部分として設けられる。背側保護部１５は、猟具兼漁具の銛身２の背側を振り下ろした際に地面にぶつかっても、衝撃をいなすように刃１３から猟具兼漁具の先端に向けて傾斜部分として設けられる。
【００１９】
又、図４に示すように、最先端の銛先３の先端が取手７の側に向くようにかつ、最先端の銛先３が他の銛先３よりも横方向に出っ張る形状であれば、猟具兼漁具を鞘に納める際に、銛先３が引っかかることがなく、収納が容易になる。さらに、最先端の銛先３の先端が取手７の側に向くよう設けられていることから、捕獲した獲物を猟具兼漁具の先端に引っ掛けて移動させたりすることも可能である。
【００２０】
図３及び図４に示した猟具兼漁具でも、図２に示した刃９が設けられてもよい。かかる場合、第１間隔部分４における一対の銛先３及び返し５が獲物に突き刺さりやすい効果がある。又、第２間隔部分６における一対の銛先３には向かい合うように刃が設けられていないことから、銛先３に突き刺さった獲物が外れにくく、獲物が暴れても逃げられにくい効果がある。さらに、第２間隔部分６における一対の銛先３と第２間隔部分６における銛身２と第１間隔部分４における銛身２とのそれぞれには刃が形成されていないことから、当該刃の形成されていない部分による獲物の切断を未然に防ぐことができる。
【００２１】
尚、第１間隔部分４における一対の銛先３及び返し５に刃９が形成されていない一方、第２間隔部分６における一対の銛先３に刃９に類似する刃を形成してもよい。かかる場合であっても、段落００２０と同様の効果を奏する。
【００２２】
又、第１間隔部分４における一対の銛先３及び返し５に刃９が形成されかつ第２間隔部分６における一対の銛先３に刃９に類似する刃を形成してもよい。かかる場合、獲物に刺さりやすく、銛先３から獲物を外しやすい効果があるが、銛先３に刺さった獲物が暴れた際に、銛先３の刃９及び刃９に類似する刃が獲物に刺さった部分を切り開いてしまうため逃げられやすくなる。
【００２３】
図５に示した猟具兼漁具では、他の銛先３よりも横方向に出っ張っている最先端の部分が銛先３なっていないでかつ返しも設けられていない突起としての保護部１０なっているので、保護部１０が他の銛先３を岩や地面に当たって破損しないように保護することができる。又、猟具兼漁具を鞘に納める際に、銛先３が引っかかることもなく、収納が容易になる。
【００２４】
図５に示した猟具兼漁具でも、図２に示した刃９が設けられてもよい。かかる場合、第１間隔部分４における一対の銛先３及び返し５が獲物に突き刺さりやすい効果がある。又、第２間隔部分６における一対の銛先３には向かい合うように刃が設けられていないことから、銛先３に突き刺さった獲物が外れにくく、獲物が暴れても逃げられにくい効果がある。さらに、第２間隔部分６における一対の銛先３と第２間隔部分６における銛身２と第１間隔部分４における銛身２とのそれぞれには刃が形成されていないことから、当該刃の形成されていない部分による獲物の切断を未然に防ぐことができる。
【００２５】
尚、第１間隔部分４における一対の銛先３及び返し５に刃９が形成されていない一方、第２間隔部分６における一対の銛先３に刃９に類似する刃を形成してもよい。かかる場合であっても、段落００２４と同様の効果を奏する。
【００２６】
又、第１間隔部分４における一対の銛先３及び返し５に刃９が形成されかつ第２間隔部分６における一対の銛先３に刃９に類似する刃を形成してもよい。かかる場合、獲物に刺さりやすく、銛先３から獲物を外しやすい効果があるが、銛先３に刺さった獲物が暴れた際に銛先３の刃９及び刃９に類似する刃が獲物に刺さった部分を切り開いてしまうため逃げられやすくなる。
【００２７】
図６に示した猟具兼漁具では、３本以上の銛先３のうちで互いに向き合う一対の銛先３の互い向き合う側としての第１間隔部分４には、抜け防止部１１が、互いに向き合う一対の銛先３から第１間隔部分４の側に凸凹に形成された形状に設けられる。図６に示した抜け防止部１１は、図１乃至４に示した返し５に相当し、銛先３に刺さった獲物から銛先３が抜けないように、凸凹の形状になっている。図６では、抜け防止部１１よりも銛先３に刃９を設けた態様を例示した。かかる場合、第１間隔部分４における一対の銛先３が突き刺さりやすい効果がある。
【００２８】
又、第２間隔部分６における一対の銛先３には刃が形成されておらず、第２間隔部分６における銛身２及び第１間隔部分４における銛身２にも刃が形成されていない。つまり、第２間隔部分６における一対の銛先３が板厚のままの状態であって刃になっていない。第２間隔部分６における一対の銛先３には向かい合うように刃が設けられていないことから、銛先３に突き刺さった獲物が外れにくく、獲物が暴れても逃げられにくい効果がある。
【００２９】
又、第２間隔部分６における銛身２及び第１間隔部分４における銛身２が板厚のままの状態であって刃になっていない。このように、第２間隔部分６における一対の銛先３と第２間隔部分６における銛身２と第１間隔部分４における銛身２とのそれぞれには刃が形成されていないことから、当該刃の形成されていない部分による獲物の切断を未然に防ぐことができる。
【００３０】
尚、抜け防止部１１よりも銛先３に刃９が形成されていない一方、第２間隔部分６における一対の銛先３に刃９に類似する刃が形成されても良い。かかる場合であっても、段落００２７乃至段落００２８と同様の効果がある。
【００３１】
又、抜け防止部１１よりも銛先３に刃９が形成されかつ第２間隔部分６における一対の銛先３に刃９に類似する刃が形成されても良い。かかる場合、獲物に刺さりやすく、銛先３から獲物を外しやすい効果があるが、銛先３に刺さった獲物が暴れた際に銛先３の刃９及び刃９に類似する刃が獲物に刺さった部分を切り開いてしまうため逃げられやすくなる。
【００３２】
図６に示した猟具兼漁具でも、図３に示した最先端の銛先３又は図５に示した保護部１０を設けてよい。
【００３３】
図７に示した猟具兼漁具では、３本以上の銛先３のうちで互いに向き合う一対の銛先３の互い向き合う側としての第１間隔部分４に返し５が互いに向き合う一対の銛先３から第１間隔部分４の側に突出した形状に設けられ、第１間隔部分４に隣接する第２間隔部分６に抜け防止部１２が互いに向き合う一対の銛先３から第２間隔部分６の側に凸凹に形成された形状に設けられる。図７では、第１間隔部分４における一対の銛先３及び返し５には刃９が形成されている場合を例示した。かかる場合、第１間隔部分４における一対の銛先３及び返し５が獲物に突き刺さりやすい効果がある。
【００３４】
又、第２間隔部分６における一対の銛先３には刃が形成されておらず、第２間隔部分６における銛身２及び第１間隔部分４における銛身２にも刃が形成されていない。つまり、第２間隔部分６における一対の銛先３が板厚のままの状態であって刃になっていない。第２間隔部分６における一対の銛先３には向かい合うように刃が設けられていないことから、銛先３に突き刺さった獲物が外れにくく、獲物が暴れても逃げられにくい効果がある。
【００３５】
又、第２間隔部分６における銛身２及び第１間隔部分４における銛身２が板厚のままの状態であって刃になっていない。このように、第２間隔部分６における一対の銛先３と第２間隔部分６における銛身２と第１間隔部分４における銛身２とのそれぞれには刃が形成されていないことから、当該刃の形成されていない部分による獲物の切断を未然に防ぐことができる。
【００３６】
尚、図７において、第１間隔部分４における一対の銛先３及び返し５に刃９が形成されていない一方、抜け防止部１２よりも銛先３には刃９に類似する刃が形成されてもよい。かかる場合であっても、段落００３３及び段落００３４と同様の効果を奏する。
【００３７】
又、第１間隔部分４における一対の銛先３及び返し５に刃９が形成されかつ第２間隔部分６における一対の抜け防止部１２よりも銛先３に刃９に類似する刃が形成されても良い。かかる場合、獲物に刺さりやすく、銛先３から獲物を外しやすい効果があるが、銛先３に刺さった獲物が暴れた際に銛先３の刃９及び刃９に類似する刃が獲物に刺さった部分を切り開いてしまうため逃げられやすくなる。
【００３８】
図７に示した猟具兼漁具でも、図３に示した最先端の銛先３、刃１３、銛先側保護部１５、背側保護部１６、又は図５に示した保護部１０を設けてよい。
【００３９】
図８を参照し、発明を実施するための形態６を示す。本実施の形態は、実施の形態図４の猟具兼漁具の銛先３に刃９が設けられた点が異なる。図８は、発明を実施するための形態６の平面図、左側面図、正面図、右側面図、底面図を表した図である。尚、正面図と背面図は対称であるため省略する。図８は、実線で記載されているが、部分意匠として創作された意匠も含む図である。
【００４０】
発明を実施するための形態１乃至３及び発明を実施するための形態５乃至６では、一対の銛先３に返し５が一つずつ設けられた場合を例示した。しかしながら、一対の銛先３に返し５が、第１間隔部分４の側に横方向Ｙに複数個並べるように設けられてもよい。尚、一対の銛先３のうち、一方の銛先３の返し５の個数と他方の銛先３の返し５の個数が同数であっても異なっていても良い。
【符号の説明】
【００４１】
１    柄
２    銛身
３    銛先
４    第１間隔部分
５    返し
６    第２間隔部分
７    取手
８    仮想線
９    刃
１０  保護部
１１  抜け防止部
１２  抜け防止部
１３  刃
１４  先端部
１５  銛先側保護部
１６  背側保護部
Ｘ    柄１及び銛身２の長手方向
Ｙ    長手方向に交差する横方向
Ｚ    振りかざす方向
【図１】
2020108345.tif 000003
【図２】
2020108345.tif 000004
【図３】
2020108345.tif 000005
【図４】
2020108345.tif 000006
【図５】
2020108345.tif 000007
【図６】
2020108345.tif 000008
【図７】
2020108345.tif 000009
【図８】
2020108345.tif 000010